(57)【要約】【課題】撮像素子ユニットが着脱可能なデジタルカメラにおいて、より高い装着精度を実現可能なデジタルカメラを提供する。【解決手段】本発明のデジタルカメラ１は、カメラボディ１０と、該カメラボディ１０に対して着脱可能であるとともに撮像素子１４を備える撮像素子ユニット４０と、を具備するデジタルカメラ１であって、前記カメラボディ１０はボディ側当接面３０Ｐを有し、前記撮像素子ユニット４０は、該撮像素子ユニット４０が前記カメラボディ１０に装着された際に、前記ボディ側当接面３０Ｐと当接することにより前記カメラボディに対して前記撮像素子ユニット４０を位置決めするユニット側当接面４０Ｐを有し、前記ボディ側当接面３０Ｐと前記ユニット側当接面４０Ｐとが、オプティカルフラット面であること、を特徴とする。【選択図】図１
2013187834.tif 000002
【特許請求の範囲】
【請求項１】
カメラボディと、該カメラボディに対して着脱可能であるとともに撮像素子を有する撮像素子ユニットと、を備えるデジタルカメラであって、
前記カメラボディはボディ側当接面を有し、
前記撮像素子ユニットは、該撮像素子ユニットが前記カメラボディに装着された際に、前記ボディ側当接面と当接することにより前記カメラボディに対して該撮像素子ユニットを位置決めするユニット側当接面を有し、
前記ボディ側当接面と前記ユニット側当接面とが、オプティカルフラット面であること、
を特徴とするデジタルカメラ。
【請求項２】
請求項１に記載のデジタルカメラであって、
前記撮像素子ユニットは、
電気配線が形成されるとともに、前記撮像素子がその受光面を対向させるようにして一面側に実装されているガラス基板を備え、
前記ユニット側当接面が設けられたユニット側当接部は、前記ガラス基板の他面側に配置されて前記ガラス基板を固定していること、
特徴とするデジタルカメラ。
【請求項３】
請求項１または２に記載のデジタルカメラであって、
前記撮像素子ユニットは、前記ユニット側当接面を囲むフレームを備え、
前記フレームのカメラボディ側の端部は、前記ユニット側当接面よりも前記カメラボディ側に延びていること、
を特徴とするデジタルカメラ。
【請求項４】
請求項１から３のいずれか１項に記載のデジタルカメラであって、
前記ボディ側当接面が設けられたボディ側当接部、及び前記ユニット側当接面が設けられたユニット側当接部には、前記撮像素子に入射する光路が切り欠かれた開口部が設けられ、
厚さ方向の少なくとも一部分が前記ユニット当接部と光軸方向において重なるようにして、前記ユニット側当接部の前記開口部の内部に配置された光学フィルタを備えること、
を特徴とするデジタルカメラ。
【請求項５】
請求項１から４のいずれか１項に記載のデジタルカメラであって、
前記ボディ側当接面と前記ユニット側当接面との少なくとも一方に、空気抜き形状が設けられていること、
を特徴とするデジタルカメラ。
【発明の詳細な説明】
【技術分野】
【０００１】
本発明は、デジタルカメラに関するものである。
【背景技術】
【０００２】
従来、カメラボディに対して着脱可能な撮像素子ユニットを備えるデジタルカメラがある。そのようなデジタルカメラにおいて撮像素子ユニットは、撮像素子とその周辺回路を含み、電子接点によってカメラボディと連動する。また、撮像素子ユニットは、３面の基準面を有し、カメラボディ側の基準面に当接させることで装着の位置決めをしている（たとえば、特許文献１参照）。
【先行技術文献】
【特許文献】
【０００３】
【特許文献１】特開２００７−１０４６５３号公報
【発明の概要】
【発明が解決しようとする課題】
【０００４】
しかし、一般的な機械部品を単純に当接させただけでは、カメラボディに対する撮像素子の撮像面の位置精度を出しにくい。特に、撮像素子ユニットの外装のように通常扱う上で接触しやすい部分は、外力による形状変化、傷、ホコリ等の付着などによって、μｍ単位の装着精度を確保することが難しい。
【０００５】
本発明の課題は、撮像素子ユニットが着脱可能なデジタルカメラにおいて、より高い装着精度を実現可能なデジタルカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、カメラボディ（１０）と、該カメラボディ（１０）に対して着脱可能であるとともに撮像素子（１４）を有する撮像素子ユニット（４０）と、を備えるデジタルカメラ（１）であって、前記カメラボディ（１０）はボディ側当接面（３０Ｐ）を有し、前記撮像素子ユニット（４０）は、該撮像素子ユニット（４０）が前記カメラボディ（１０）に装着された際に、前記ボディ側当接面（３０Ｐ）と当接することにより前記カメラボディに対して前記撮像素子ユニット（４０）を位置決めするユニット側当接面（４０Ｐ）を有し、前記ボディ側当接面（３０Ｐ）と前記ユニット側当接面（４０Ｐ）とが、オプティカルフラット面であること、を特徴とするデジタルカメラ（１）である。
請求項２に記載の発明は請求項１に記載のデジタルカメラ（１）であって、前記撮像素子ユニット（４０）は、電気配線が形成されるとともに、前記撮像素子（１４）がその受光面を対向させるようにして一面側に実装されているガラス基板（４２）を備え、前記ユニット側当接面（４０Ｐ）が設けられたユニット側当接部（４３）は、前記ガラス基板（４２）の他面側に配置されて、前記ガラス基板（４２）を固定していること、特徴とするデジタルカメラ（１）である。
請求項３に記載の発明は請求項１または２に記載のデジタルカメラ（１）であって、前記撮像素子ユニット（４０）は、前記ユニット側当接面（４０Ｐ）を囲むフレーム（４１）を備え、前記フレーム（４１）のカメラボディ（１０）側の端部は、前記ユニット側当接面（４０Ｐ）よりも前記カメラボディ（１０）側に延びていること、を特徴とするデジタルカメラ（１）である。
請求項４に記載の発明は請求項１から３のいずれか１項に記載のデジタルカメラ（１）であって、前記ボディ側当接面（３０Ｐ）が設けられたボディ側当接部（３３）、及び前記ユニット側当接面（４０Ｐ）が設けられたユニット側当接部（４３）には、前記撮像素子（１４）に入射する光路が切り欠かれた開口部（３３Ｈ，４３Ｈ）が設けられ、厚さ方向の少なくとも一部分が前記ユニット側当接部（４３）と光軸方向において重なるようにして、前記ユニット側当接部（４３）の前記開口部（３３Ｈ）の内部に配置された光学フィルタ（４６）を備えること、を特徴とするデジタルカメラ（１）である。
請求項５に記載の発明は請求項１から４のいずれか１項に記載のデジタルカメラ（１）であって、前記ボディ側当接面（３０Ｐ）と前記ユニット側当接面（４０Ｐ）との少なくとも一方に、空気抜き形状（５１，５２）が設けられていること、を特徴とするデジタルカメラ（１）である。
なお、符号を付して説明した構成は、適宜改良してもよく、また、少なくとも一部を他の構成物に代替してもよい。
【発明の効果】
【０００８】
本発明によれば、撮像素子ユニットが着脱可能なデジタルカメラにおいて、より高い装着精度を実現可能なデジタルカメラを提供することができる。
【図面の簡単な説明】
【０００９】
【図１】本発明に係るデジタルカメラの一実施形態であるカメラの概念断面図である。
【図２】撮像素子ユニットの断面図である。
【図３】装着部を説明するカメラボディの断面図である。
【図４】装着部を説明するカメラボディの背面図である。
【図５】撮像素子ユニットの装着状態を示すカメラボディの断面図である。
【図６】装着部における撮像素子ユニットの位置調整を説明する図である。
【図７】固着防止構造の一例を適用した撮像素子ユニットにおける位置決め板の斜視図である。
【発明を実施するための形態】
【００１０】
以下、図面等を参照して、本発明の実施形態について説明する。
図１は、本発明に係るデジタルカメラの一実施形態であるカメラ１の概念断面図である。
なお、以下に示す図には、説明と理解を容易にするために、ＸＹＺ直交座標系を設けた。この座標系では、撮影者が光軸を水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。このＺプラス方向を前面側、Ｚマイナス方向を背面側ともいう。
【００１１】
カメラ１は、レンズ交換式のデジタルカメラであって、カメラボディ１０と、結像光学系２１を備えた撮像レンズ２０と、により構成されている。
カメラボディ１０はボディマウント１０Ｍを備え、一方、撮像レンズ２０はレンズマウント２０Ｍを備えており、ボディマウント１０Ｍとレンズマウント２０Ｍとの結合によって、カメラボディ１０に対して撮像レンズ２０が光軸を一致させた状態で装着される。
【００１２】
カメラボディ１０は、筐体１１と、ファインダ部１２と、メカニカルシャッタ１３と、撮像素子１４と、制御部１５と、を備えている。
筐体１１は、当該カメラボディ１０の内部骨格を形成する部材であって、他の各構成要素を支持する。また、筐体１１は、後述する撮像素子ユニット４０が着脱可能に装着される装着部３０を備えている。装着部３０には、撮像素子ユニット４０の光軸方向（Ｚ軸方向）における位置を規定するボディ側当接面３０Ｐが設けられている。この装着部３０については、後に詳述する。
【００１３】
ファインダ部１２は、クイックリターンミラー１２Ａと、ファインダスクリーン１２Ｂと、ペンタプリズム１２Ｃおよび接眼光学系１２Ｄを備えている。
クイックリターンミラー１２Ａは、撮像レンズ２０から後述するメカニカルシャッタ１３に至る結像光路中に、光路をファインダスクリーン１２Ｂに向けて屈折させるように介設されている。クイックリターンミラー１２Ａは、図示しないレリーズ操作に応じて制御部１５に制御され、撮影時には上側に揺動退避する。
ファインダスクリーン１２Ｂは、クイックリターンミラー１２Ａによって屈折された光軸と直交する姿勢で、正規の位置に配置された後述する撮像素子１４と光学的に等価の位置に配置されており、クイックリターンミラー１２Ａを介した光像が結像するようになっている。
【００１４】
上記構成のファインダ部１２は、撮像レンズ２０によって集光された像光の光路をクイックリターンミラー１２Ａによってファインダスクリーン１２Ｂに導き、ファインダスクリーン１２Ｂに結像した被写体像をペンタプリズム１１Ｃによって正立像として接眼光学系１１Ｄを介して視認可能とする。ファインダ部１２は、正規の位置に配置された撮像素子１４による撮像と結像状態が同じで画像中心が一致した画像を視認できるように設定されている。
【００１５】
メカニカルシャッタ１３は、たとえば縦走りの金属膜フォーカルプレンシャッタであって、筐体１１の、後述する撮像素子１４（撮像素子ユニット４０）が装着される装着部３０の前面側開口部に配設されている。メカニカルシャッタ１３は、図示しないレリーズ操作に応じて後述する制御部１５によって駆動制御されて開閉し、後述する撮像素子１４への像光の入射時間（露出）を規定する。
【００１６】
撮像素子１４は、ＣＣＤ等の光電変換素子であって、撮像面に入射する光像を電気信号に変換する。本実施形態では、撮像素子１４は、筐体１１の装着部３０に着脱可能な撮像素子ユニット４０を構成している。
【００１７】
撮像素子ユニット４０は、前面側にユニット側当接面４０Ｐを有しており、このユニット側当接面４０Ｐが筐体１１における装着部３０のボディ側当接面３０Ｐに当接することで光軸方向（Ｚ軸方向）における位置が規定されて、装着部３０に装着される。
撮像素子ユニット４０は、撮像素子１４の画素数やサイズの異なる複数のタイプが用意されており、ユーザーが目的に適合した撮像素子１４を備える撮像素子ユニット４０を適宜選択して使用することができるようになっている。この撮像素子ユニット４０については、後に詳述する。
制御部１５は、ＣＰＵ等を備え、当該カメラボディ１０の各構成要素を統括的に制御する。
【００１８】
上記構成のカメラ１は、制御部１５によって制御され、撮像レンズ２０の結像光学系２１を介して撮像素子１４に結像された被写体像を、撮像素子１４によって電気信号に変換し、その撮像データを画像データとして信号処理して、図示しない記録装置に記録（撮影）する。
【００１９】
つぎに、図２〜図６を参照して、撮像素子ユニット４０と、その装着されるカメラボディ１０（筐体１１）における装着部３０について詳細に説明する。
図２は、撮像素子ユニット４０の断面図である。図３は、装着部３０を説明するカメラボディ１０の断面図である。図４は、装着部３０を説明するカメラボディ１０の背面図である。図５は、撮像素子ユニット４０の装着状態を示すカメラボディ１０の断面図である。図６は、装着部３０における撮像素子ユニット４０の位置調整を説明する図である。
【００２０】
図２に示すように、撮像素子ユニット４０は、フレーム４１の内部に、撮像素子１４を一体に支持するガラス基板４２と、ユニット側当接板４３と、フィルタボックス４４と、画像処理回路基板４５と、を備えている。また、フレーム４１の図２中下面に、カメラボディ１０と接続するコネクタ４０Ｃを備えている。
【００２１】
フレーム４１は、正面形状が矩形で所定厚さの枠状であって、その内部空間は隔壁４１Ｗよって前後に仕切られている。隔壁４１Ｗの前面側の空間内にユニット側当接板４３，ガラス基板４２（撮像素子１４）が配設され、隔壁４１Ｗの背面に画像処理回路基板４５が収容されている。フレーム４１の画像処理回路基板４５を収容する背面側の空間は、背面に固定された背面板４８によって閉塞されている。
【００２２】
撮像素子１４は、いわゆるＣｈｉｐ  ｏｎ  Ｇｌａｓｓ（ＣＯＧ）実装の撮像素子である。また、ガラス基板４２は、薄くかつ平面性が高く、電気配線が形成されている。そして、撮像素子１４はガラス基板４２上に、ガラス面と受光面が対向するように実装されている。
撮像素子１４を支持するガラス基板４２は、ユニット側当接板４３の背面に紫外線硬化型接着剤によって接着固定され、ユニット側当接板４３と共にフレーム４１に固定されている。
【００２３】
ユニット側当接板４３は、その前面がユニット側当接面４０Ｐである。そしてユニット側当接板４３は、所定厚さのガラス板で、フレーム４１に収容可能な矩形の外形で有する。そしてユニット側当接板４３は、中央に矩形の開口部４３Ｈを有する額縁形に形成されている。中央の開口部４３Ｈは、撮像素子１４への入射光路より大きく設定されている。また、ユニット側当接板４３の少なくとも前面（ユニット側当接面４０Ｐ）は、研磨によってオプティカルフラットに成形されている。
【００２４】
ここで、オプティカルフラットとは、平面の凹凸が光の波長の数分の１〜１／１０程度（たとえば、光の波長を５００ｎｍとして表面の凹凸の大きさは１００ｎｍ程度）であって、光学的に平面と呼べる（レンズとして作用しない）精度に形成された平面を言う。
一般的に金属よりもガラスの方が高い平面性を安定して実現しやすいため、本実施形態ではユニット側当接板４３をガラス素材によって形成している。
【００２５】
ユニット側当接板４３は、フレーム４１の隔壁４１Ｗより前面側の空間内に、その前面（ユニット側当接面４０Ｐ）をフレーム４１の前縁より所定量（図２における突出量：Ｄ）背面側に位置させて固定されている。つまり、ユニット側当接面４０Ｐは、フレーム４１の前面側の縁より背面側に所定量引っ込んだ位置に設定されている。
【００２６】
ユニット側当接板４３のユニット側当接面４０Ｐと、ユニット側当接板４３に固定されたガラス基板４２が支持する撮像素子１４の受光面とは、所定の高精度の平行度に設定されている。このような、高い精度でのガラス基板４２のユニット側当接板４３への固定は、たとえば、製造時において、ユニット側当接板４３とガラス基板４２との間に紫外線硬化型接着剤を塗布し、ユニット側当接面４０Ｐを基準に撮像素子１４の位置を計測・調整し、平行が出た状態で紫外線を照射して硬化させることで行うことができる。
【００２７】
ユニット側当接板４３の開口部４３Ｈには、フィルタボックス４４が固定されている。
フィルタボックス４４は、内フレーム４４Ｆの内部に、赤外線カットフィルタ４６と、ダストオフ機能付きのローパスフィルタ４７とを、直列に備えている。
ダストオフ機能は、ローパスフィルタ４７に設けられた振動体に交流の駆動電圧を印可して振動させ、ローパスフィルタ４７に付着した塵埃等を除去する。
【００２８】
内フレーム４４Ｆは、撮像素子１４への像光の入射を妨げない内周形状の角筒状であって、ユニット側当接板４３の開口部４３Ｈに嵌合固定されている。
内フレーム４４Ｆの前面側の縁は、フレーム４１の前縁と略同量（Ｄ）、ユニット側当接板４３の前面（ユニット側当接面４０Ｐ）より前面側に突出している。
【００２９】
ここで、フィルタボックス４４の光軸方向（Ｚ軸方向）における長さは、ユニット側当接板４３と後述するカメラボディ１０の装着部３０におけるボディ側当接板３３とを重合した厚さ以内に納まるように設定されている。また、赤外線カットフィルタ４６は、光軸方向において開口部４３Ｈの内部に収納されている。
そして、フィルタボックス４４はその背面側の端縁がユニット側当接板４３の背面と略一致して設けられているので、フィルタボックス４４の、ユニット側当接板４３の前面（ユニット側当接面４０Ｐ）からの突出量は、ボディ側当接板３３の厚さ以下となっている。
【００３０】
上記のように構成された撮像素子ユニット４０は、全体形状が所定厚さの略直方体状であり、前面側にフレーム４１とフィルタボックス４４の内フレーム４４Ｆとで矩形の縁が二重に形成されている。そのフレーム４１とフィルタボックス４４の間に、ユニット側当接板４３の前面（ユニット側当接面４０Ｐ）が所定量背面側に奥まって位置する。
このような構成により、撮像素子ユニット４０を単独で机上等に載置したような場合でもユニット側当接面４０Ｐに異物等が接触することが無く、ユニット側当接面４０Ｐにゴミ等が付着したり不用意に触れたりすることを防ぐことができる。
【００３１】
つぎに、撮像素子ユニット４０が着脱可能に装着されるカメラボディ１０（筐体１１）における装着部３０について説明する。
図３に示すように、装着部３０は、筐体１１の背面側に形成された収容凹部３１と、この収容凹部３１の背面側開口部を覆う背面カバー３２と、を備えている。
【００３２】
収容凹部３１は、撮像素子ユニット４０を収容可能な直方体状の空間であって、背面側に開放している。収容凹部３１は、撮像素子ユニット４０の光軸方向（Ｚ軸方向）におる位置を規定するボディ側当接板３３と、撮像素子ユニット４０と電気的に接続するコネクタ３４とを備える。さらに収容凹部３１は、図４に示すように、撮像素子ユニット４０の光軸（Ｚ軸）と直交する面内における姿勢を調整する姿勢調整機構３５と、固定レバー３６と、を備えている。
【００３３】
ボディ側当接板３３は、収容凹部３１の前面側（筐体１１の背面）に、背面が光軸（Ｚ軸）と直交する姿勢で固定されており、その背面がボディ側当接面３０Ｐとなっている。ボディ側当接面３０Ｐの、ボディマウント１０Ｍの基準面（マウント面１０Ｍｓ）からの距離：Ｌは、所定精度に設定されている。
このボディ側当接板３３のボディ側当接面３０Ｐには、収容凹部３１に装着された撮像素子ユニット４０のユニット側当接面４０Ｐが当接し、撮像素子ユニット４０の光軸方向（Ｚ軸方向）における位置と光軸に対する直角度とを所定の精度で位置決めする。
【００３４】
ボディ側当接板３３は、矩形の平面形状で中央に矩形の開口部３３Ｈを有し、所定厚さのガラス板によって形成されている。ボディ側当接板３３の少なくともボディ側当接面３０Ｐを形成する背面は、前述した撮像素子ユニット４０におけるユニット側当接板４３と同様にオプティカルフラットに成形されている。
ボディ側当接板３３の外形は撮像素子ユニット４０におけるユニット側当接板４３の外形より所定量小さく、また、中央の開口部３３Ｈは撮像素子ユニット４０におけるフィルタボックス４４が遊嵌可能にその外形より所定量大きく設定されている。
【００３５】
コネクタ３４は、収容凹部３１の下側内周に配設されており、収容凹部３１に撮像素子ユニット４０が装着されると、撮像素子ユニット４０におけるコネクタ４０Ｃと接合し、撮像素子ユニット４０とカメラボディ１０（制御部１５）とを電気的に接続する。
姿勢調整機構３５は、収容凹部３１の周囲に配設された複数の偏芯カム３５Ｃによって構成されている。偏芯カム３５Ｃは、収容凹部３１のＸ軸と平行な下辺部に所定間隔離間し一対（２箇所）、収容凹部３１のＸ軸方向プラス側の側辺に１箇所の、計３箇所に、それぞれＺ軸と平行な中心軸回りに回転操作可能に設けられている。
【００３６】
この姿勢調整機構３５は、偏芯カム３５Ｃを回転させることにより、その外周面が撮像素子ユニット４０のフレーム４１の外面に当接して押圧操作し、撮像素子ユニット４０の光軸（Ｚ軸）と直交する面内（Ｘ軸及びＹ軸を含む面内）における姿勢を調整できる。
すなわち、撮像素子ユニット４０の、Ｙ軸方向における位置およびＸ軸に対する傾きを下辺部に設けられた２箇所の偏芯カム３５Ｃによって、Ｘ軸方向における位置を側辺に設けられた１箇所の偏芯カム３５Ｃによって、それぞれ調整し得るようになっている。
なお、偏芯カム３５Ｃの調整は、手動で行ってもよいし、各偏芯カム３５Ｃにモータを内蔵して、電動で調整可能としてもよい。
【００３７】
撮像素子１４の、光軸（Ｚ軸）と直交する（像面に平行な）面内で必要な位置精度は、光軸方向の位置精度ほど高くはない。従って、このように外装位置（撮像素子ユニット４０のフレーム４１）を基準に位置調整を行っても問題ない。ファインダ視野枠との相対位置、個人の好み等によってユーザー自身が独自の調整をする可能性もあるため、このように容易に調整可能な方が好ましい。
【００３８】
固定レバー３６は、収容凹部３１における図４および図６中右上の角部に、Ｚ軸と平行な中心軸回りに揺動操作可能に設けられている。固定レバー３６は、揺動操作によって、収容凹部３１に装着された撮像素子ユニット４０を脱落不能に固定する。
背面カバー３２は、収容凹部３１の背面開口部を閉塞し得る形状であって、収容凹部３１の下辺部に当該下辺部と平行なヒンジ３２Ｈを介して揺動開閉可能に支持されている。そして、図１に示す閉止状態では収容凹部３１を遮光状態に閉鎖し、図５〜図４に示すように揺動して収容凹部３１を開放することで収容凹部３１に対する撮像素子ユニット４０の着脱を可能とする。
【００３９】
上記のように構成されたカメラボディ１０（筐体１１）における装着部３０には、前述した撮像素子ユニット４０が、そのユニット側当接面４０Ｐを装着部３０における収容凹部３１のボディ側当接面３０Ｐに対して当接させて装着される。
ユニット側当接面４０Ｐおよびボディ側当接面３０Ｐは、オプティカルフラットな面であり、これにより、撮像素子ユニット４０は、その光軸方向（Ｚ軸方向）における位置と光軸に対する直角度を所定の精度として、カメラボディ１０に対して位置決めされる。
【００４０】
ここで、オプティカルフラット面同士を重ねて完全密着した場合、一方を基準とすると、もう一方の面も基準側と１００〜２００ｎｍ程度のバラツキで位置が規制されることになる。従って、撮像素子１４はカメラボディ１０に対して２００ｎｍ程度の誤差で位置を規制できることになる。実際には、製造誤差や当接面間（ボディ側当接面３０Ｐとユニット側当接面４０Ｐの間）に入る空気・微細なゴミの影響、温度による形状変化など様々な要因によってそれより大きな誤差が生じる可能性はあるが、カメラとして要求される１０〜２０μｍ程度の位置精度は実現可能である。
【００４１】
撮像素子ユニット４０が装着部３０に装着された状態では、撮像素子ユニット４０におけるユニット側当接面４０Ｐから前面側に突出しているフィルタボックス４４の前端部は、前述したその突出量の設定から、ボディ側当接板３３の開口部３３Ｈに収容される。
このような構造では、フィルタボックス４４（その保持する赤外線カットフィルタ４６およびローパスフィルタ４７）は、ユニット側当接板４３とボディ側当接板３３の厚さ内に配設されるため、撮像素子ユニット４０を位置決めするために設けられたユニット側当接板４３およびボディ側当接板３３が光軸方向における大型化を招くことはない。
つまり、ユニット側当接板４３およびボディ側当接板３３は、オプティカルフラット面を有するガラス板によって形成されており、平面性と強度の維持のためにある程度の厚さを必要とするが、それらは赤外線カットフィルタ４６およびローパスフィルタ４７の配設空間の外周側のデッドスペースに配設されることとなるため、大型化しない。
【００４２】
また、撮像素子ユニット４０が装着部３０に装着されると、撮像素子ユニット４０におけるコネクタ４０Ｃは、装着部３０のコネクタ３４と結合し、撮像素子ユニット４０とカメラボディ１０とは電気的に接続される。
そして、撮像素子ユニット４０は、図６に示すように、姿勢調整機構３５における偏芯カム３５Ｃの回転操作によってその光軸（Ｚ軸）と直交する面内（Ｘ軸およびＹ軸を含む面内）における姿勢が調整され、固定レバー３６によって装着部３０に脱落不能に固定される。
【００４３】
ところで、撮像素子ユニット４０のユニット側当接面４０Ｐと、装着部３０における収容凹部３１のボディ側当接面３０Ｐとは、共に平面精度の高いオプティカルフラットな面であり、装着時においては介在する空気が容易に抜けて両者が密着する必要がある一方、密着して両者の間に空気が侵入し難いと相対移動させる姿勢調整や取り外しが困難な固着状態となる可能性がある。
このため、図７に示すように、撮像素子ユニット４０のユニット側当接面４０Ｐと、装着部３０における収容凹部３１のボディ側当接面３０Ｐの何れか一方、または、両方に、固着防止形状５０とすることが好ましい。
【００４４】
図７は、撮像素子ユニット４０におけるユニット側当接板４３のユニット側当接面４０Ｐに適用した固着防止形状５０の一例を示す。
図７（ａ）に示す固着防止形状５０は、ユニット側当接板４３のユニット側当接面４０Ｐに、Ｘ軸方向と平行に延びる複数の溝５１を形成したものである。なお、溝５１の方向等はこれに限るものではなく適宜設定可能なものである。また、図７（ｂ）に示す固着防止形状５０は、ユニット側当接板４３のユニット側当接面４０Ｐに、鍋底状の凹みであるディンプル５２を複数設けたものである。
これにより、ユニット側当接面４０Ｐとボディ側当接面３０Ｐとの間における空気の流出入が容易となり、着脱性を確保することができる。このような加工をしても、接触する面のほとんどは平面のため、位置精度に悪影響を与えることはない。
【００４５】
以上、本実施形態によると、以下の効果を有する。
（１）本実施形態では、撮像素子ユニット４０は、オプティカルフラットなユニット側当接面４０Ｐを、カメラボディ１０における装着部３０のオプティカルフラットなボディ側当接面３０Ｐに当接させることで、光軸方向（Ｚ軸方向）における位置と光軸に対する直角度とを所定の精度として位置決めされる。
これにより、カメラボディ１０に対して着脱可能な撮像素子ユニット４０を、高い精度で位置決め装着することができる。
【００４６】
（２）撮像素子ユニット４０は、撮像素子１４を支持するガラス基板４２が、直接、ボディ側当接板３３に固定されて構成されており、ボディ側当接面３０Ｐと撮像素子１４との間に中間部品が少ない。
これにより、製造誤差の影響を受け難く、使用中の精度変化も生じ難い。
（３）撮像素子ユニット４０は、前面側にフレーム４１とフィルタボックス４４の内フレーム４４Ｆとで矩形の縁が二重に形成され、そのフレーム４１とフィルタボックス４４の間に、ユニット側当接面４０Ｐが所定量背面側に奥まって位置する。
これにより、ユニット側当接面４０Ｐへの容易な接触や異物等の付着を防ぐことができる。
【００４７】
（４）カメラボディ１０の装着部３０に撮像素子ユニット４０を装着した状態において、フィルタボックス４４（赤外線カットフィルタ４６およびローパスフィルタ４７）が、ユニット側当接板４３とボディ側当接板３３の厚さ内に位置する。
このため、ユニット側当接板４３とボディ側当接板３３とを備えることに起因してカメラサイズの増大を招くことがない。
【００４８】
（変形形態）
以上、説明した実施形態に限定されることなく、以下に示すような種々の変形や変更が可能であり、それらも本発明の範囲内である。
（１）上記実施形態は、本発明をファインダ光学系にペンタプリズムを備える一眼レフタイプのカメラに適用した例である。しかし、本発明はこれに限らず、たとえば、ペンタプリズムを備えないレンズ交換可能なカメラ等に適用しても良い。
【００４９】
（２）上記実施形態では、撮像素子ユニット４０は、内フレーム４４Ｆで赤外線カットフィルタ４６とローパスフィルタ４７とを保持しフィルタボックス４４がユニット側当接板４３に固定された構成となっている。しかし、フィルタ等の光学素子はこの構成に限定されず、また、内フレーム４４Ｆを介する事なくユニット側当接板４３またはガラス基板４２に直接接着固定した構成としても良い。
なお、実施形態及び変形形態は、適宜組み合わせて用いることもできるが、詳細な説明は省略する。また、本発明は以上説明した実施形態によって限定されることはない。
【符号の説明】
【００５０】
１：カメラ、１０：カメラボディ、３０：装着部、３０Ｐ：位置規定面、３１：収容凹部、３３：位置規定部材、３３：開口部、３５：姿勢調整機構、３６：固定レバー、４０：撮像素子ユニット、４０Ｐ：位置決め面、４１：フレーム、４２：ガラス基板、４３：位置決め板、４３Ｈ：開口部、４４：フィルタボックス、４４Ｆ：内フレーム、４６：赤外線カットフィルタ、４７：ローパスフィルタ、５０：固着防止形状、５１：溝、５２：ディンプル
【図１】
2013187834.tif 000003
【図２】
2013187834.tif 000004
【図３】
2013187834.tif 000005
【図４】
2013187834.tif 000006
【図５】
2013187834.tif 000007
【図６】
2013187834.tif 000008
【図７】
2013187834.tif 000009